(57)【要約】【課題】Ｖ型トラフの側壁に開口する取水口に安定した取水を行なわせるため、取水口近傍の水位を容易に調節可能であると共に、常時、所定の水位範囲を維持させることができ、且つ、装置の簡素化とコストダウンを図ることができる可動式水位調整ゲートを提供する。【解決手段】Ｖ型トラフ２の側壁３に開口する取水口４に取水を行なわせるため、取水口４近傍の水位を調節する可動式水位調整ゲート１であって、Ｖ型トラフ２の左右側壁３，３上端部に係止自在の左右クランプ５，５と、左右クランプ５，５に揺動自在に懸架されてＶ型トラフ２の溝内に吊設され、傾斜角度を変化させることにより、Ｖ型トラフ２の取水口４近傍の水流を規制して水位を調節する制御板６と、制御板６の傾斜角度を変化させる重り７を入れるため、制御板６の下端部に配設されるウエイト受け部８とを備えた可動式水位調整ゲートを提供する。【選択図】図１
2008184771.tif 000002
【特許請求の範囲】
【請求項１】
Ｖ型トラフの側壁に開口する取水口に取水を行なわせるため、前記取水口近傍の水位を調節する可動式水位調整ゲートであって、
前記Ｖ型トラフの左右側壁上端部に係止自在の左右クランプと、
前記左右クランプに揺動自在に懸架されて前記Ｖ型トラフの溝内に吊設され、傾斜角度を変化させることにより、前記Ｖ型トラフの前記取水口近傍の水流を規制して水位を調節する制御板と、
前記制御板の傾斜角度を変化させる重りを入れるため、前記制御板の下端部に配設されるウエイト受け部とを備えていることを特徴とする可動式水位調整ゲート。
【請求項２】
請求項１記載の可動式水位調整ゲートの使用方法であって、前記制御板を前記左右クランプに揺動自在に懸架させ、前記Ｖ型トラフの前記取水口近傍の左右側壁上端部に前記左右クランプを係止して、前記制御板を前記Ｖ型トラフの溝内に吊設し、前記Ｖ型トラフを流れる水流の水圧によって傾斜する前記制御板の傾斜角度を前記ウエイト受け部に入れる重りによって調整し、前記制御板によって、前記Ｖ型トラフの前記取水口近傍の水流を規制し、それによって、前記取水口近傍の水位を調節し、前記取水口に取水を行なわせ、他方、前記制御板は、前記Ｖ型トラフ内の水量が多くなると、その水圧に押されて前記傾斜角度が増加し、前記Ｖ型トラフ内の水量が少なくなると、前記重りの重さによって前記傾斜角度が減少することにより、前記Ｖ型トラフの取水口近傍の水位を常時所定範囲内に維持することを特徴とする可動式水位調整ゲートの使用方法。
【発明の詳細な説明】
【技術分野】
【０００１】
本発明は、用水路もしくは排水路として使用されるＶ型トラフ（以下、Ｖ型トラフと云う。）において、取水口に取水を行なわせるため、取水口近傍の水位を容易に調節することができる可動式水位調整ゲート及びその使用方法に関するものである。
【背景技術】
【０００２】
此種従来のＶ型トラフの取水口に取水を行なわせるための水位調節方法として、例えば、次のような方法が用いられている。
（１）Ｖ型トラフ内に直接、古タイヤ、コンクリート、ブロック、袋詰め土砂などを置いて水位を調整する。
（２）Ｖ型トラフ内に、当該Ｖ型トラフの長手方向と直交方向をもってセキ板等を取付ける。
【０００３】
前述した従来の方法においては次のような問題点を指摘することができる。
（１）安定した取水をしようとする時、従来の方法では水量の調整が難しく、増水時もしくは利用者が多数一度に取水しようと水位を上げると、Ｖ型トラフ外に流出、飛散しＶ型トラフそのものが土砂の流出により崩壊する虞がある。
そのため、水位を下げ、溢れない程度の障害物もしくはセキ板等を取水口の近くに設置したり、同時取水を制限し取水している。
その結果、水利権者間のトラブルが発生する可能性がある。
（２）急傾斜におけるＶ型トラフにおいて、上流側で取水しようとすると、水位を上げるか、セキ止めるしか方法がない。上流の利用者が溢れないように水位を下げたり、セキ止めると、下流で利用する水が不足する。
（３）また、急傾斜におけるＶ型トラフおいては、水流が速く取水できないため水量を増し取水口の水位を上げ取水するため、多量の余水が放出され水の無駄が生じている。
【０００４】
そこで、前述の問題点を解決するための先行技術文献として、例えば、下記の特許文献１がある。
特許文献１には、用水路等の分水、止水ゲートに於いて、回転自在のゲートの扉体をスプリング、油圧シリンダー等で回動閉止させ、扉体にかかる水圧の変化で扉体を自動開閉させて止水を扉体底部で調節流下させ、規定値水位に調節可能とした自動水位調節アンダー流下ゲートが記載されている。
【特許文献１】特開平１０−２５７２９号公報
【発明の開示】
【発明が解決しようとする課題】
【０００５】
前述した自動水位調節アンダー流下ゲートは、前述した問題点をある程度解決することが可能である。
然しながら、前記自動水位調節アンダー流下ゲートは、扉体をスプリング、油圧シリンダー等で回動閉止させるものであるため、装置が比較的複雑でありコスト高になるという問題がある。
【０００６】
以上の現状に鑑み、本発明の目的は、Ｖ型トラフの側壁に開口する取水口に安定した取水を行なわせるため、取水口近傍の水位を容易に調節可能であると共に、常時、所定の水位範囲を維持させることができ、且つ、装置の簡素化とコストダウンを図ることができる可動式水位調整ゲート及びその使用方法を提供する。
【課題を解決するための手段】
【０００７】
上記の課題を解決すべく、本発明は以下の構成を提供する。
請求項１に係る発明は、Ｖ型トラフの側壁に開口する取水口に取水を行なわせるため、前記取水口近傍の水位を調節する可動式水位調整ゲートであって、
前記Ｖ型トラフの左右側壁上端部に係止自在の左右クランプと、
前記左右クランプに揺動自在に懸架されて前記Ｖ型トラフの溝内に吊設され、傾斜角度を変化させることにより、前記Ｖ型トラフの前記取水口近傍の水流を規制して水位を調節する制御板と、
前記制御板の傾斜角度を変化させる重りを入れるため、前記制御板の下端部に配設されるウエイト受け部とを備えていることを特徴とする可動式水位調整ゲートを提供するものである。
【０００８】
請求項２に係る発明は、請求項１記載の可動式水位調整ゲートの使用方法であって、前記制御板を前記左右クランプに揺動自在に懸架させ、前記Ｖ型トラフの前記取水口近傍の左右側壁上端部に前記左右クランプを係止して、前記制御板を前記Ｖ型トラフの溝内に吊設し、前記Ｖ型トラフを流れる水流の水圧によって傾斜する前記制御板の傾斜角度を前記ウエイト受け部に入れる重りによって調整し、前記制御板によって、前記Ｖ型トラフの前記取水口近傍の水流を規制し、それによって、前記取水口近傍の水位を調節し、前記取水口に取水を行なわせ、他方、前記制御板は、前記Ｖ型トラフ内の水量が多くなると、その水圧に押されて前記傾斜角度が増加し、前記Ｖ型トラフ内の水量が少なくなると、前記重りの重さによって前記傾斜角度が減少することにより、前記Ｖ型トラフの取水口近傍の水位を常時所定範囲内に維持することを特徴とする可動式水位調整ゲートの使用方法を提供するものである。
【発明の効果】
【０００９】
本発明は、上述のように構成されているので、下記のような効果を期待することができる。
（１）必要最小限の水で取水口水位は希望の高さを保持するので、Ｖ型トラフから溢れたり飛散したりせず節水になる。
（２）取水口の微妙な水位調整が必要なくなる。
（３）水の飛散による法面、水路崩壊がなくなる。
（４）水量を必要最小限にしても、各取水口は常に希望の水位を確保できると共に、取水の安定を図ることができる。
（５）制御板が傾斜状態に構成されているから、水が制御板に当った時の飛散を防止することができる。 
（６）他の水利権者との水量調整、打合せが不要となる。
（７）重りを変えるだけで水位調節ができるため、水位の調整が容易であり、常時、所定の水位範囲を維持して取水の安定を図ることができる。
（８）スプリング、油圧シリンダー等を必要としないため、装置の簡素化とコストダウンを図ることができる。
【発明を実施するための最良の形態】
【００１０】
以下、実施例を示した図面を参照しつつ本発明の実施の形態を説明する。
図１に於いて、１は本発明の可動式水位調整ゲートを示し、可動式水位調整ゲート１は、Ｖ型トラフ２の側壁３に開口する取水口４に取水を行なわせるため、Ｖ型トラフ２の取水口４近傍の水位を調節するものであって、Ｖ型トラフ２の左右側壁３，３上端部に係止自在の左右クランプ５，５と、左右クランプ５，５に揺動自在に懸架されてＶ型トラフ２の溝内に吊設され、傾斜角度を変化させることにより、Ｖ型トラフ２の取水口４近傍の水流を規制して水位を調節する制御板６と、制御板６の傾斜角度を変化させる重り７を入れるため、制御板６の下端部に配設されるウエイト受け部８とを備えている。
【００１１】
前記Ｖ型トラフ２は、公知のもので断面Ｕ字状の溝形に形成されている。
前記制御板６は、上端部に回転横棒２１が固着され、回転横棒２１は、その両端部が制御板６の両端から突設している。
又、前記制御板６は、回転横棒２１を中心としてＶ型トラフ２の溝内で揺動できるように、回転横棒２１から離間する方向に向かって幅が漸次狭くなるように両側端が斜設され、略台形状に形成されている。
【００１２】
前記ウエイト受け部８は、重り７を収納できるように、上面が開口され、底部と、底部から立設する少なくとも３つの側壁部からなる受け枠状に形成され、底部は水が溜まらないようにエキスパンドメタル等の網２２が配設されている。
前記重り７としては、石等を用いることができるが、所定の重さがあれば、他のものでも良い。
【００１３】
前記左右クランプ５，５は、図２（ａ）に示すように、Ｖ型トラフ２の左右側壁３，３上端部を包持するため、逆Ｕ字状に形成され、左右クランプ５，５の一側部を夫々貫通するボルト２３，２３によってＶ型トラフ２の左右側壁３，３上端部に係止される。
そして、左右クランプ５，５の上端部には、前記回転横棒２１の両端部を夫々回転自在に枢支する、短横パイプで形成された左右枢支体２４，２４が夫々固着されている。
【００１４】
図２（ｂ）に示すように、前記制御板６は、Ｖ型トラフ２の溝の深さよりもやや長めに形成され、Ｖ型トラフ２内に水が流れない状態で、制御板６の底部がＶ型トラフ２の内底部に接する時、制御板６が傾斜するように構成されている。
【００１５】
図６に示す如く、前記取水口４は、Ｖ型トラフ２内の水を取水し、供給路３１を介して田３２などへ水を供給するためのものであり、夫々の田３２，３２…に対応させてＶ型トラフ２内の側壁３に適数個形成されている。
【００１６】
而して、前記可動式水位調整ゲート１の使用方法を説明すると、まず、短横パイプで形成された左右枢支体２４，２４に回転横棒２１の両端部を枢支させることにより、制御板６を左右クランプ５，５に揺動自在に懸架させ、Ｖ型トラフ２の取水口４下流近傍の左右側壁３，３上端部に左右クランプ５，５をボルト２３，２３締めにより係止して、制御板６を取水口４の下流側に位置するＶ型トラフ２の溝内に吊設する。
【００１７】
そして、ウエイト受け部８に石等の所定の重さの重り７を入れ、分水門（図示せず）を開ける等して、Ｖ型トラフ２に水を流すと、図３に示す如く、可動式水位調整ゲート１の制御板６は水圧により、左右枢支体２４，２４回りに回転してＶ型トラフ２を流れる水流の水圧と均衡する角度に傾斜し、制御板６の底部は、Ｖ型トラフ２の内底部から浮いた状態になる。次に、水圧によって傾斜する制御板６の傾斜角度をウエイト受け部８に入れる重り７によって調整する。
この時、傾斜角度を調整された制御板６の底部とＶ型トラフ２の内底部との間、及び、制御板６の両側部とＶ型トラフ２の両内側壁との間の隙間を通して水が下流に流れるが、傾斜した制御板６によって規制された一部の水が一時滞留して取水口４の近傍が所定の水位Ｈ１となり、取水口４から良好に取水される。
【００１８】
そして、図４に示す如く、Ｖ型トラフ２内の流量が多くなった場合は、その水圧に押されて制御板６の傾斜角度が増加し、制御板６の底部は、Ｖ型トラフ２の内底部からかなり浮いた状態になり、制御板６の底部とＶ型トラフ２の内底部との間の隙間を通して水が大量に流れる。この時、Ｖ型トラフ２から、水が溢れることはなく、又、取水口４の近傍も所定の水位Ｈ２が確保されているので、取水口４からの取水も良好に行なわれる。
【００１９】
反対に、Ｖ型トラフ２内の流量が少なくなると、重り７の重さによって制御板６の傾斜角度が減少し、制御板６の底部は、Ｖ型トラフ２の内底部に近づき、その御板板６によって規制された水が一時滞留して取水口４の近傍が所定の水位となり、取水口４から良好な取水が行なわれる。
【００２０】
このように、前記制御板６は、Ｖ型トラフ２内の流量が多くなった場合、或いは、流量が少なくなった場合にも常時所定の水位範囲を維持し、取水口４からの取水が安定する。
【００２１】
図５は、Ｖ型トラフ２内に複数の取水口４，４…が配設され、取水口４，４…に対応させて複数の可動式水位調整ゲート１，１…を配設した状態を示している。
Ｖ型トラフ２は上流側で分水門（図示せず）を介して幹線（図示せず）に連結されており、分水門が開かれて、水がＶ型トラフ２内に配水される。
上流側から上位、中位、下位に可動式水位調整ゲート１，１，１を配設した例で説明すると、まず、上位の可動式水位調整ゲート１が所定水位を保てるようにウエイト受け部８に重り７を投入して調整する。
ついで、中位、下位の可動式水位調整ゲート１，１についても、同様に、所定水位が保てるようにウエイト受け部８に重り７を投入して夫々調整する。
【００２２】
図６は、Ｖ型トラフ２を流れる水を可動式水位調整ゲート１，１…を介して取水口４，４…に取水させ、取水口４，４…で取水した水を田３２，３２…に夫々供給する状態を示している。可動式水位調整ゲート１，１…によって水位を調整され、取水口４，４…から取水された水は、供給路３１，３１…を通り、夫々田３２，３２…に供給される。Ｖ型トラフ２から離れた田３２，３２…には、Ｖ型トラフ２に近い隣接する田３２，３２…から水を供給する。
【図面の簡単な説明】
【００２３】
【図１】本発明の可動式水位調整ゲートとその設置状況を示す斜視図である。
【図２】（ａ）本発明の可動式水位調整ゲートとその設置状況を示す正面図である。（ｂ）本発明の可動式水位調整ゲートとその設置状況を示す側面図である。
【図３】本発明の可動式水位調整ゲートの作用を示す側面図である。
【図４】Ｖ型トラフ内の流水量が増加した場合における本発明の可動式水位調整ゲートの作用を示す側面図である。
【図５】本発明の可動式水位調整ゲートをＶ型トラフに複数個設置した状態を示す側面図である。
【図６】本発明の可動式水位調整ゲートを介して、田に水を供給する状態を示す平面図である。
【符号の説明】
【００２４】
１  可動式水位調整ゲート
２  Ｖ型トラフ
３  側壁
４  取水口
５  クランプ
６  制御板
７  重り
８  ウエイト受け部
【図１】
2008184771.tif 000003
【図２】
2008184771.tif 000004
【図３】
2008184771.tif 000005
【図４】
2008184771.tif 000006
【図５】
2008184771.tif 000007
【図６】
2008184771.tif 000008